【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】  組成物全体の重量を基準にして、（ａ）２０〜８０重量％のポリ（アリーレンエーテル）と（ｂ）２０〜８０重量％のポリ（アルキレン芳香族）材料と（ｃ）０．１〜２５重量％の芳香族アミンとを含んでなる熱可塑性樹脂組成物であって、芳香族アミンが次式で表される、熱可塑性樹脂組成物。
【化１】
2003522246.tif 000001
式中、Ｒ１、Ｒ３、Ｒ４、Ｒ５、Ｒ７及びＲ８は独立に水素、炭素原子数１〜６の線状もしくは枝分れ一価アルキル、又はハロゲンであり、Ｒ２及びＲ６は独立に水素又は炭素原子数１〜６の一価アルキルであり、ｍは０、１又は２であり、Ａは直接芳香環縮合、直接単結合又は以下の群から選択される二価基である。
【化２】
2003522246.tif 000002
【請求項２】  前記芳香族アミンが、
【化３】
2003522246.tif 000003
【化４】
2003522246.tif 000004
及びこれらの１以上の化合物を含む混合物からなる群から選択される、請求項１記載の熱可塑性樹脂組成物。
【請求項３】  ０．１〜２０重量％の粘着付与剤樹脂をさらに含む、請求項１記載の熱可塑性樹脂組成物。
【請求項４】  前記粘着付与剤樹脂がロジンエステルからなる、請求項３記載の熱可塑性樹脂組成物。
【請求項５】  ５〜３０重量％の補強充填材をさらに含む、請求項１記載の熱可塑性樹脂組成物。
【請求項６】  組成物全体の重量を基準にして、
（ａ）２０〜７５重量％のポリ（アリーレンエーテル）と、
（ｂ）２０〜７５重量％のポリ（アルキレン芳香族）化合物と、
（ｃ）０．１〜２５重量％の次式で表される芳香族アミンと、
【化５】
2003522246.tif 000005
（式中、Ｒ１、Ｒ３、Ｒ４、Ｒ５、Ｒ７及びＲ８は独立に水素、炭素原子数１〜６の線状もしくは枝分れ一価アルキル、又はハロゲンであり、Ｒ２及びＲ６は独立に水素又は炭素原子数１〜６の一価アルキルであり、ｍは０、１又は２であり、Ａは直接芳香環縮合、直接単結合又は以下の群から選択される二価基である。）
【化６】
2003522246.tif 000006
（ｄ）０．１〜２０重量％の第１の粘着付与剤樹脂と、
（ｅ）０．１〜１５重量％のゴムと、
を含んでなる熱可塑性樹脂組成物。
【請求項７】  ０．１〜２０重量％の第二の粘着付与剤樹脂をさらに含む、請求項６記載の熱可塑性樹脂組成物。
【請求項８】  第一の粘着付与剤樹脂がロジンエステルからなり、第二の粘着付与剤樹脂が水添炭化水素樹脂、水添ポリテルペン樹脂又はこれらの１以上の材料を含む混合物からなる、請求項７記載の熱可塑性樹脂組成物。
【請求項９】  １〜３重量％の活性炭をさらに含む、請求項６記載の熱可塑性樹脂組成物。
【請求項１０】  （ａ）２０〜８０重量％のポリ（アリーレンエーテル）と（ｂ）２０〜８０重量％のポリ（アルキレン芳香族）材料と（ｃ）０．１〜２５重量％の芳香族アミンとの反応生成物を含んでなる熱可塑性樹脂組成物であって、芳香族アミンが次式で表される、熱可塑性樹脂組成物。
【化７】
2003522246.tif 000007
式中、Ｒ１、Ｒ３、Ｒ４、Ｒ５、Ｒ７及びＲ８は独立に水素、炭素原子数１〜６の線状もしくは枝分れ一価アルキル、又はハロゲンであり、Ｒ２及びＲ６は独立に水素又は炭素原子数１〜６の一価アルキルであり、ｍは０、１又は２であり、Ａは直接芳香環縮合、直接単結合又は以下の群から選択される二価基である。
【化８】
2003522246.tif 000008
【請求項１１】  請求項１０記載の熱可塑性樹脂組成物を含んでなる物品。
【請求項１２】  請求項１０記載の熱可塑性樹脂組成物とポリウレタンフォームとを含んでなる自動車用内装部品。
【請求項１３】  熱可塑性樹脂組成物の製造方法であって、
（１）当該組成物全体の重量を基準にして、２０〜８０重量％のポリ（アリーレンエーテル）と２０〜８０重量％のポリ（アルキレン芳香族）材料と次式で表される０．１〜２５重量％の芳香族アミンとを混合し、
【化９】
2003522246.tif 000009
（式中、Ｒ１、Ｒ３、Ｒ４、Ｒ５、Ｒ７及びＲ８は独立に水素、炭素原子数１〜６の線状もしくは枝分れ一価アルキル、又はハロゲンであり、Ｒ２及びＲ６は独立に水素又は炭素原子数１〜６の一価アルキルであり、ｍは０、１又は２であり、Ａは直接芳香環縮合、直接単結合又は以下の群から選択される二価基である。）
【化１０】
2003522246.tif 000010
（２）上記混合物を水蒸気ストリッピングし、
（３）上記混合物を真空脱気する
ことを含んでなる方法。
【請求項１４】  前記芳香族アミンが、４，４′−ジアミノジフェニルスルフィド、４，４′−ジアミノジフェニルスルホン、４，４′−ジアミノジフェニルエーテル、１，５−ジアミノナフタレン、ベンジジン、３，３′−ジメチルベンジジン、３，３′−ジメトキシベンジジン、ビス（ｐ−β−アミノ−ｔ−ブチルフェニル）エーテル及びこれらの１以上の化合物を含む混合物からなる群から選択される、請求項１記載の熱可塑性樹脂組成物。
【請求項１５】  組成物全体の重量を基準にして、（ａ）２０〜８０重量％のポリ（アリーレンエーテル）と（ｂ）２０〜８０重量％のポリ（アルキレン芳香族）材料と（ｃ）０．１〜２５重量％の芳香族アミンとを含んでなる熱可塑性樹脂組成物であって、芳香族アミンが、４，４′−ジアミノジフェニルプロパン、ビス（２−クロロ−４−アミノ−３，５−ジエチルフェニル）メタン、２，４−ビス（β−アミノ−ｔ−ブチル）トルエン、ビス（ｐ−β−メチル−ｏ−アミノフェニル）ベンゼン、ビス（ｐ−β−メチル−ｏ−アミノペンチル）ベンゼン、１，３−ジアミノ−４−イソプロピルベンゼン、２−メチル−４，６−ジエチル−１，３−フェニレンジアミン、５−メチル−４，６−ジエチル−１，３−フェニレンジアミン、ジエチルトルエンジアミンの異性体、４，４′−メチレン−ビス−（２−エチル−６−メチルアニリン）、４，４′−メチレン−ビス−（２，６−ジエチルアニリン）、４，４′−メチレン−ビス−（２−イソプロピル−６−メチルアニリン）、４，４′−メチレン−ビス−（２，６−ジイソプロピルアニリン）、４，４′−ジアミノジフェニルスルフィド、４，４′−ジアミノジフェニルスルホン、４，４′−ジアミノジフェニルエーテル、１，５−ジアミノナフタレン、ベンジジン、３，３′−ジメチルベンジジン、３，３′−ジメトキシベンジジン、ビス（ｐ−β−アミノ−ｔ−ブチルフェニル）エーテル及びこれらの１以上の化合物を含む混合物からなる群から選択される、熱可塑性樹脂組成物。
【請求項１６】  前記芳香族アミンが、
【化１１】
2003522246.tif 000011
及びこれらの１以上の化合物を含む混合物からなる群から選択される、請求項１５記載の熱可塑性樹脂組成物。
【請求項１７】  組成物全体の重量を基準にして、５〜３０重量％の補強充填材をさらに含む、請求項６記載の熱可塑性樹脂組成物。
【請求項１８】  組成物全体の重量を基準にして、０．１〜２０重量％の粘着付与剤樹脂がさらに存在する、請求項１３記載の方法。
【請求項１９】  組成物全体の重量を基準にして、０．１〜２０重量％の５〜３０重量％の補強充填材がさらに存在する、請求項１３記載の方法。